(57)【特許請求の範囲】
【請求項１】
就寝スペース及び所定の個人作業を行うための個人作業用スペースを設けてなる個室を該各個室が所定の共用室に連通されるように複数配置するとともに、前記各個室を使用する個人に属する専用物を収納する専用物収納スペースを前記共用室に設けてなり、前記専用物収納スペースを、前記専用物としての衣類が収納される衣類収納スペースとしたことを特徴とする住宅の室内配置構造。
【請求項２】
前記衣類収納スペースを、前記専用物が帰属する個人ごとに設けるようにした請求項１記載の住宅の室内配置構造。
【請求項３】
前記各個室を前記共用室に隣接配置した請求項１記載の住宅の室内配置構造。
【請求項４】
前記各個室を互いに隣接配置するとともに、前記各個室間を可動壁又は着脱自在壁で仕切る請求項１記載の住宅の室内配置構造。
【請求項５】
前記可動壁又は前記着脱自在壁を棚で構成した請求項４記載の住宅の室内配置構造。
【請求項６】
前記共用室に更衣室を配置した請求項１記載の住宅の室内配置構造。
【請求項７】
前記衣類収納スペースを前記更衣室に設けた請求項６記載の住宅の室内配置構造。
【請求項８】
前記更衣室に畳スペースを設けた請求項６又は請求項７記載の住宅の室内配置構造。
【請求項９】
前記各個室内の個人作業用スペースにクライアントパソコンを設置するとともに該クライアントパソコンにＬＡＮ接続されたサーバーパソコンを前記共用室に設置した請求項１記載の住宅の室内配置構造。
【請求項１０】
プリンター、スキャナ、ＭＯドライブ、外付けハードディスク等のパソコン周辺機器を前記サーバーパソコンに接続した請求項９記載の住宅の室内配置構造。
【発明の詳細な説明】
【０００１】
【発明の属する技術分野】
本発明は、個室と共用室とを設けた住宅の室内配置構造に関する。
【０００２】
【従来の技術】
住宅には子供部屋、主寝室、書斎等の個室が配置されており、各個室内には個室の目的に応じて、ベッド、机、収納スペース等が設置されているが、生活水準の向上に伴って、子供の衣類も増加しているため、個室に十分な収納スペースが要求されるようになってきた。
【０００３】
また、最近では、家族一人一人がパソコンを使用する傾向も増加しつつある。
【０００４】
【発明が解決しようとする課題】
このような生活環境の変化に伴って個室の居住性も向上するようになってきたが、個室内での居住性を高めようとすると、各居室面積は自ずと大きくなり、それに伴って共用部分の面積は減少する。そのため、家族が集まることのできる場所が狭くなり、その結果として、家族間のコミュニケーションが不足するという問題を生じていた。
【０００５】
また、個室内に収納スペースを設けてあるため、各個室ごとに洗濯済みの衣類を収納しなければならなくなり、主婦の家事負担が増大するという問題も生じていた。
【０００６】
さらに、個室内でほとんどの生活要求を満たすことができるような個室重視の設計では、子供の成長、家族構成の変化などに対する将来的な対応が困難になるという問題も生じていた。
【０００７】
一方、夫婦や子供との間、あるいは男子と女子との間で相応のプライバシーの保持が必要になることはもちろん、子供部屋や書斎内でのパソコン作業を行うにあたっても、互いの作業に干渉されない一定の環境を形成したいというニーズも増えつつある。
【０００８】
本発明は、上述した事情を考慮してなされたもので、各個室における一定の居住性を維持しつつ十分な広さの共用スペースを確保することが可能な住宅の室内配置構造を提供することを目的とする。
【０００９】
【課題を解決するための手段】
上記目的を達成するため、本発明に係る住宅の室内配置構造は請求項１に記載したように、就寝スペース及び所定の個人作業を行うための個人作業用スペースを設けてなる個室を該各個室が所定の共用室に連通されるように複数配置するとともに、前記各個室を使用する個人に属する専用物を収納する専用物収納スペースを前記共用室に設けてなり、前記専用物収納スペースを、前記専用物としての衣類が収納される衣類収納スペースとしたものである。
【００１１】
また、本発明に係る住宅の室内配置構造は、前記衣類収納スペースを、前記専用物が帰属する個人ごとに設けるようにしたものである。
【００１２】
また、本発明に係る住宅の室内配置構造は、前記各個室を前記共用室に隣接配置したものである。
【００１３】
また、本発明に係る住宅の室内配置構造は、前記各個室を互いに隣接配置するとともに、前記各個室間を可動壁又は着脱自在壁で仕切るものである。
【００１４】
また、本発明に係る住宅の室内配置構造は、前記可動壁又は前記着脱自在壁を棚で構成したものである。
【００１５】
また、本発明に係る住宅の室内配置構造は、前記共用室に更衣室を配置したものである。
【００１６】
また、本発明に係る住宅の室内配置構造は、前記衣類収納スペースを前記更衣室に設けたものである。
【００１７】
また、本発明に係る住宅の室内配置構造は、前記更衣室に畳スペースを設けたものである。
【００１８】
また、本発明に係る住宅の室内配置構造は、前記各個室内の個人作業用スペースにクライアントパソコンを設置するとともに該クライアントパソコンにＬＡＮ接続されたサーバーパソコンを前記共用室に設置したものである。
【００１９】
また、本発明に係る住宅の室内配置構造は、プリンター、スキャナ、ＭＯドライブ、外付けハードディスク等のパソコン周辺機器を前記サーバーパソコンに接続したものである。
【００２０】
本発明に係る住宅の室内配置構造においては、就寝スペース及び所定の個人作業を行うための個人作業用スペースを設けてなる個室を該各個室が所定の共用室に連通されるように複数配置するとともに、各個室を使用する個人に属する専用物を収納する専用物収納スペースを共用室に設けてある。
【００２１】
このようにすると、従来は個室に設けられていた収納スペースに収納していた専用物が共用室に設けられた専用物収納スペースに収納されることとなり、個室には大きな収納スペースを設ける必要がなくなる。そのため、個室の居室面積が小さくなるとともに、その分、共用室の面積が拡大する。
【００２２】
個室は、誰が使用するかは任意であり、子供をはじめ、世帯主、配偶者、祖父母等が使用することが考えられる。
【００２３】
就寝スペースは寝るためのスペースであり、例えば、布団を敷くための畳を敷設したり、ベッド等の寝具を設置したりすることが考えられる。
【００２４】
個人作業用スペースには、例えば机やラックなど、個室で個人作業を行う際に使用する家具を設置することが考えられる。ここで、個人作業とは、仕事、勉強のみならず、遊びも含む概念であって、テレビやそれに付随するテレビゲームあるいはパソコンなどを各個室内の個人作業用スペースに設置された机やラックにおくようにしてもかまわない。なお、本発明は、各個室に収納スペースを設けることを排除するものではなく、必要に応じて、個室内に小さな収納スペースを適宜設けるようにしてもかまわない。
【００２５】
個室を使用する個人に属する専用物とは、その個室を使用する世帯主、配偶者、子、祖父母といった個人によって専用されるものという意味であって、使用場所については、個室か共用室かはもちろんのこと、住宅の内部か戸外であるかも問わない。また、物品の用途や性質が一般的に専用的でないと考えられるものであったとしても、該物品が上述した定義に該当するのであれば、それは、本発明で言うところの専用物に該当する。
【００２６】
例えば、テレビゲームやノートパソコンは家族全員の共用物であると考えるのが仮に一般的であるとしても、上述したように個人によって専用的に使用されるのであれば、そのテレビゲームやノートパソコンは、本発明で言うところの専用物である。
【００２７】
本発明の専用物には、このように個人によって専用的に使用されるものである限り、どのような種類の物品であるかは任意であり、例えば、寝具、季節品、遊具、小物、日用品等が該当する。
【００２８】
共用室に設けられる専用物収納スペースは、専用物の用途や種類に応じて、仕切り棚を設けたり、衣類をかけるためのハンガーパイプを取り付けるなど、適宜設計すればよい。
【００２９】
ここで、専用物収納スペースにどのような種類の専用物を収納するかは任意であるが、本発明においては、専用物収納スペースを、専用物としての衣類が収納される衣類収納スペースとしたので、従来は各個室ごとに収納されていた衣類が共用室の衣類収納スペースにまとめて収納されることとなり、洗濯済みの衣類を収納する際の作業に要する時間が短縮される。
【００３０】
また、専用物収納スペースを専用物の用途や種類ごとに収納するようにしてもかまわないが、かかる専用物収納スペースを、前記専用物が帰属する個人ごとに設けるようにしたならば、各個人の使い勝手が向上するとともに、個人間同士のプライバシーの確保も可能となる。
【００３１】
一方、共用室は、共用可能な部屋という意味であって、その利用形態は任意であり、個人が任意に集まってそれぞれの個人作業を行うことを排除するものではないが、上述したように個室の居室面積が小さくなる分、その面積が拡大するため、例えば、家族全員が集うための大きなテーブルを配置するとともに、そのテーブルを使用して共同作業をしたり家族会議を開いたりすることによって、家族のコミュニケーションを高めることが可能となる。
【００３２】
なお、かかる共用室は、個室の居室面積の減少分を利用してあらたに設置するようにしてもよいし、従来のリビングや二階ホールを転用するようにしてもよい。
【００３３】
各個室は、共用室に連通されている、言い換えれば個室と共用室との間で行き来が可能なように個室内空間が共用室内空間に連通している限り、両者の相対的な配置関係は任意であり、廊下やホールが介在していてもよいし、階段を介して上下階に分かれていてもかまわないが、前記各個室を前記共用室に隣接配置したならば、個室と共用室とを結ぶ動線が短縮されて行き来が楽になるのみならず、従来、廊下やホールであったスペースが共用室の一部として取り込まれることとなるため、共用室の居室面積はさらに拡大する。
【００３４】
また、各個室同士を隣接配置するか離間配置するかも任意であり、各個室がそれぞれ共用室に連通しているならば、個室同士は互いに隣接していなくてもかまわないが、ここで、各個室を互いに隣接配置するとともに、各個室間を可動壁又は着脱自在壁で仕切るようにした場合においては、可動壁を移動したり、着脱自在壁を取り外し又は取り付けることによって、個室の数や広さを変更することが可能となり、子供の成長や家族構成の変化に応じて、そのつど最適な個室を設けることができる。
【００３５】
可動壁又は着脱自在壁は、個室間を仕切ることができる限りどのように構成するかは任意であるが、かかる可動壁又は着脱自在壁を棚で構成した場合においては、可動壁又は着脱自在壁は、間仕切壁としてのみならず、収納のための棚としても利用することが可能となる。
【００３６】
共用室の利用形態は上述したように任意であるが、共用室に更衣室を配置した場合においては、個人のプライバシーを守りつつ、共用室内で着替えを行うことが可能となる。
【００３７】
更衣室をどのように構成するかは任意であり、例えば、共用室の一角を棚やカーテンなどで仕切ることで更衣室を設置してもかまわないが、上述した衣類収納スペースを更衣室に設けた場合においては、更衣室内の衣類収納スペースから衣類を出し入れしながら着替えればよいので、着替えが楽になる。
【００３８】
また、更衣室に畳スペースを設けた場合においては、畳スペースに座って着替えることが可能となり、例えば高齢者など立ったままの着替えが困難な人でも、容易に着替えることができる。
【００３９】
また、共用室についてはその利用形態でも述べたように、何を設置するかも任意であり、例えば、家族で共用するパソコンを設置することももちろん考えられるが、上述した各個室内の個人作業用スペースにクライアントパソコンを設置するとともに該クライアントパソコンにＬＡＮ接続されたサーバーパソコンを共用室に設置した場合においては、個室には、狭くなった空間を圧迫することがないよう、例えば、ＤＶＤドライブが附属しておらず、拡張スロットの少ないビギナー向けのパソコンを設置するとともに、共用室には、広くなった空間を活かして、ＤＶＤドライブやＣＤ―Ｒドライブが附属したハイエンドのパソコンを配置することが可能となる。
【００４０】
ここで、プリンター、スキャナ、ＭＯドライブ、外付けハードディスク等のパソコン周辺機器を前記サーバーパソコンに接続した場合においては、パソコン周辺機器を家族で共用することが可能となるとともに、広くなった共用室をより有意義に利用することが可能となる。
【００４１】
【発明の実施の形態】
以下、本発明に係る住宅の室内配置構造の実施の形態について、添付図面を参照して説明する。なお、従来技術と実質的に同一の部品等については同一の符号を付してその説明を省略する。
【００４２】
図１は、本実施形態に係る住宅の室内配置構造１を示した平面図である。同図に示すように、本実施形態に係る住宅の室内配置構造１は、３つの個室４ａ、４ｂ、４ｃと共用室５とで概ね構成してなり、該各個室が共用室５と連通するように、個室４ａ、４ｂ、４ｃを共用室５にそれぞれ隣接配置してある。
【００４３】
個室４ａ、４ｂ、４ｃはそれぞれ長男、長女、次男が使用する子供部屋である。
【００４４】
なお、各個室４ａ、４ｂ、４ｃの扉開口９には、必要に応じて引き戸等の建具を適宜建て込んでおく。
【００４５】
各個室４ａ、４ｂ、４ｃには、それぞれ、就寝スペース２を設けて該スペースにベッド７を設置してあるとともに、個人作業用スペース３を設けて該スペースに机８を設置してある。机８は個室で個人作業を行う際に使用されるものであり、作業目的に応じて本棚、パソコン、テレビなどを適宜設置すればよい。
【００４６】
ここで、各個室４ａ、４ｂ、４ｃには、子供の専用物を収納するためのスペースが設けられていないが、共用室５には、各個室４ａ、４ｂ、４ｃを使用する個人、すなわち長男、長女、次男に属する専用物を収納する専用物収納スペースとしての衣類収納スペース６ａ、６ｂ、６ｃ及び専用物収納スペース６ｄを設けてあり、該専用物収納スペースに各子供の専用物を収納するようになっている。
【００４７】
すなわち、衣類収納スペース６ａ、６ｂ、６ｃは専用物として衣類を収納するようになっており、それぞれ長男、長女、次男の衣類を個別に収納するよう構成してある。
【００４８】
専用物収納スペース６ｄは、衣類以外の専用物を個人の区別なく収納するためのスペースであって、長男、長女及び次男は、それぞれの専用物を自由に収納できるようになっている。かかる専用物収納スペース６ｄには、例えば、寝具、季節品、遊具、小物、日用品等を専用物として収納することができる。
【００４９】
衣類収納スペース６ａ、６ｂ、６ｃ及び専用物収納スペース６ｄは、専用物の用途や種類に応じて、仕切り棚を設けたり、衣類をかけるためのハンガーパイプを取り付けるなど、適宜設計すればよい。
【００５０】
共用室５には、家族全員が集うための大きなテーブル１４も配置してあり、該テーブルは、共同作業をしたり家族会議を開いたりするために利用されるほか、子供が個人作業である勉強をするためにも利用される。
【００５１】
一方、個室４ａと個室４ｂ、個室４ｂと個室４ｃは互いに隣接配置してあり、個室４ａと個室４ｂの間は可動壁１０で、個室４ｂと個室４ｃの間は着脱自在壁１１でそれぞれ仕切ってある。
【００５２】
ここで、可動壁１０は、棚で構成してあり、例えば同図に示すような４つの区画に分割され、それらのうち、２つずつを個室４ａ、４ｂ側からそれぞれ利用できるようになっている。また、可動壁１０は、壁１２及び壁１３に沿って移動することにより、その仕切り位置を変更できるようになっている。
【００５３】
また、着脱自在壁１１は、可動壁１０と同様に棚で構成してあり、例えば同図に示すような３つの区画に分割され、それらのうち、１つを個室４ｂ側から、残りの２つを個室４ｃ側からそれぞれ利用できるようになっている。ここで、着脱自在壁１１は、必要に応じて取り外したり、再び取り付けたりできるようになっている。
【００５４】
なお、可動壁１０を移動したり着脱自在壁１１を着脱するにあたっては、例えば、床や天井に予め壁固定用の穴を等間隔に設けておき、該穴を利用してネジで固定するようにすればよい。また、かかる穴のうち、使用されずに露出しているものについては、適宜キャップを被せておけばよい。
【００５５】
本実施形態に係る住宅の室内配置構造１においては、例えば、長男がテレビゲームをする際には、まず、共用室５へ行き、専用物収納スペース６ｄに収納してある専用物であるゲーム機を取り出す。次に、個室４ａや共用室５に置かれたテレビを利用してテレビゲームを行う。テレビゲームを行った後は、ゲーム機を専用物収納スペース６ｄに戻す。
【００５６】
また、長男が、例えば帰宅時や外出時などに着替えを行う際には、共用室５の衣類収納スペース６ａに収納してある自分の衣類を取り出し、次いで、個室４ａで着替えを行う。次に、必要に応じて着替え終わったものを衣類収納スペース６ａに戻す。なお、長女や次男に関しても同様であり、例えば着替えを行う際には、各自の衣類が収納してある衣類収納スペース６ｂ、６ｃから所望の衣類を取り出して、各自の個室４ｂ、４ｃで着替えを行い、しかる後、必要に応じて着替え終わったものを各自の衣類収納スペース６ｂ、６ｃに戻す。
【００５７】
また、洗濯した衣類を収納する際は、共用室５に行って各衣類収納スペース６ａ、６ｂ、６ｃに衣類を収納する。
【００５８】
また、本実施形態に係る住宅の室内配置構造１においては、各個室を互いに隣接配置するとともに、個室４ａと個室４ｂの間は可動壁１０で、個室４ｂと個室４ｃの間は着脱自在壁１１で仕切ってあり、個室の数や広さを変更する際には、可動壁１０を移動したり、着脱自在壁１１を取り外し又は取り付けたりする。
【００５９】
図２は、かかる可動壁１０及び着脱自在壁１１を利用して個室の数や広さを変更する様子を示した図である。同図に示すように、可動壁１０を壁１２及び壁１３に沿って移動させるとともに、着脱自在壁１１を取り外すことによって、もともと配置されていた３つの個室４ａ、４ｂ、４ｃが、より居室面積が広い２つの個室４ｄ、４ｅへと変更される。
【００６０】
以上説明したように、本実施形態に係る住宅の室内配置構造１によれば、従来は個室に設けられていた収納スペースに収納していた専用物が、共用室５に設けられた衣類収納スペース６ａ、６ｂ、６ｃ及び専用物収納スペース６ｄに収納されることとなり、各個室４ａ、４ｂ、４ｃには大きな収納スペースを設ける必要がなくなる。そのため、個室４ａ、４ｂ、４ｃの居室面積が小さくなるとともに、その分、共用室５の面積が拡大する。
【００６１】
したがって、各個室における一定の居住性を維持しつつ、家族が集まることができる共用のスペースとして十分な居室面積を確保した共用室５を配置することが可能となり、該共用室にテーブル１４を設置して共同作業をしたり家族会議を開いたりすることによって、家族のコミュニケーションを高めることができる。
【００６２】
また、本実施形態に係る住宅の室内配置構造１によれば、専用物収納スペースである衣類収納スペース６ａ、６ｂ、６ｃを共用室５に設けたので、従来は各個室ごとに収納されていた衣類が共用室５の衣類収納スペース６ａ、６ｂ、６ｃにまとめて収納されることとなり、洗濯済みの衣類を収納する際の作業に要する時間を短縮することができ、家事負担を軽減することが可能となる。
【００６３】
また、本実施形態に係る住宅の室内配置構造１によれば、個人ごとに衣類収納スペース６ａ、６ｂ、６ｃを設けて各個人に帰属する衣類を個別に収納するようにしたので、各個人の使い勝手が向上するとともに、個人間同士のプライバシーの確保も可能となる。
【００６４】
また、本実施形態に係る住宅の室内配置構造１によれば、各個室４ａ、４ｂ、４ｃを共用室５に隣接配置したので、廊下やホールを介さずに各個室４ａ、４ｂ、４ｃと共用室５とを行き来することとなり、個室４ａ、４ｂ、４ｃと共用室５とを結ぶ動線が短縮されて行き来が楽になるのみならず、従来、廊下やホールであったスペースが共用室５の一部として取り込まれることとなるため、共用室５の居室面積をさらに拡大することができる。
【００６５】
また、本実施形態に係る住宅の室内配置構造１によれば、各個室４ａ、４ｂ、４ｃを互いに隣接配置するとともに、各個室間を可動壁１０又は着脱自在壁１１で仕切るようにしたので、個室の数や広さを変更することが可能となり、子供の成長や家族構成の変化に応じて、そのつど最適な個室を設けることができる。
【００６６】
また、本実施形態に係る住宅の室内配置構造１によれば、かかる可動壁１０及び着脱自在壁１１を棚で構成したので、可動壁１０及び着脱自在壁１１は、間仕切壁としてのみならず、収納のための棚としても利用することが可能となる。
【００６７】
本実施形態では、専用物収納スペースとして衣類収納スペース６ａ、６ｂ、６ｃを設けたが、何を専用物とするかは任意であり、衣類収納スペース６ａ、６ｂ、６ｃとする代わりに、専用物の種類を限定しない専用物収納スペースとしてもかまわない。
【００６８】
また、本実施形態では、個人ごとに衣類収納スペース６ａ、６ｂ、６ｃを設けて各個人に帰属する衣類を個別に収納するようにしたが、これに代えて、衣服の種類に応じて個別に収納するようにしてもかまわないし、場合によっては、各個人に帰属する衣類を１つの衣類収納スペースにまとめて収納するようにしてもかまわない。
【００６９】
また、本実施形態では、各個室４ａ、４ｂ、４ｃを共用室５に隣接配置したが、各個室が共用室に連通されている限り、両者の相対的な配置関係は任意であり、廊下やホールが介在していてもよいし、階段を介して上下階に分かれていてもかまわない。
【００７０】
また、本実施形態では、各個室４ａ、４ｂ、４ｃを互いに隣接配置するとともに、各個室間を可動壁１０又は着脱自在壁１１で仕切るようにしたが、各個室同士を隣接配置するか離間配置するかも任意であるし、また、隣接配置とした場合であっても、各個室間を可動や着脱が不可能な通常の間仕切り壁で仕切るようにしてもかまわない。
【００７１】
また、本実施形態では、可動壁１０及び着脱自在壁１１を棚で構成したが、これに代えて、棚の機能を持たない通常の可動壁や着脱自在壁で構成してもかまわない。
【００７２】
また、本実施形態では、共用室５に衣類収納スペース６ａ、６ｂ、６ｃ、専用物収納スペース６ｄ及びテーブル１４を設けるようにしたが、これに加えて、共用室に更衣室を配置するようにしてもかまわない。
【００７３】
図３は、かかる変形例を示した平面図である。同図に示すように、本変形例に係る住宅の室内配置構造２１は、上述した実施形態と同様、３つの個室２８ａ、２８ｂ、２８ｃと共用室２２とで概ね構成してなり、該各個室が共用室２２と連通するように、個室２８ａ、２８ｂ、２８ｃを共用室２２にそれぞれ隣接配置してある。
【００７４】
各個室２８ａ、２８ｂ、２８ｃには、上述した実施形態と同様、それぞれ、就寝スペース２を設けて該スペースにベッド７を設置してあるとともに、個人作業用スペース３を設けて該スペースに机８を設置してある。
【００７５】
一方、個室２８ａと個室２８ｂ、個室２８ｂと個室２８ｃは互いに隣接配置してあり、各個室間を間仕切り壁２９及び間仕切り壁３０でそれぞれ仕切ってある。
【００７６】
間仕切り壁２９は、棚の機能を持つように構成してあり、例えば同図に示すような２つの区画に分割され、個室２８ａ側から利用できるようになっている。
【００７７】
間仕切り壁３０は、間仕切り壁２９と同様に棚の機能を持つように構成してあり、例えば同図に示すような４つの区画に分割され、それらのうち、２つずつを個室２８ｂ、２８ｃ側からそれぞれ利用できるようになっている。
【００７８】
なお、間仕切り壁２９及び間仕切り壁３０を、上述した実施形態と同様に、移動や着脱が可能な可動壁又は着脱自在壁で構成してもかまわない。
【００７９】
ここで、共用室２２には、更衣室２３を配置してある。かかる更衣室２３は、共用室２２内に棚２４を設けて該共用室を仕切るとともに、開口部にカーテン２５を設けて出入り可能に構成してある。
【００８０】
さらに、更衣室２３には、専用物収納スペースとしての衣類収納スペース２６を設けてあるとともに、更衣室２３の概ね半分を畳敷きにして畳スペース２７を設けてある。
【００８１】
このようにすると、個人のプライバシーを守りつつ、共用室２２内で着替えを行うことが可能となるとともに、更衣室２３内の衣類収納スペース２６から衣類を出し入れしながら着替えればよいので、着替えが楽になる。また、更衣室２３に設けた畳スペース２７に座って着替えることが可能となり、例えば高齢者など立ったままの着替えが困難な人でも、容易に着替えることができる。
【００８２】
なお、本変形例では、更衣室２３に衣類収納スペース２６及び畳スペース２７を設けているが、場合によっては衣類収納スペース２６及び畳スペース２７又はそのいずれかを省略してもかまわない。
【００８３】
また、本変形例では特に言及しなかったが、更衣室２３を女性が専用に使用する女性用更衣室、あるいは、男性が専用に使用する男性用更衣室としてもかまわないし、更衣室を複数設けた場合には、女性用更衣室と男性用更衣室の両方を設けてもかまわない。
【００８４】
また、本実施形態では特に言及しなかったが、上述した各個室４ａ、４ｂ、４ｃ内の個人作業用スペース３にクライアントパソコンを設置するとともに該クライアントパソコンにＬＡＮ接続されたサーバーパソコンを共用室５に設置してもかまわない。
【００８５】
このようにすると、個室４ａ、４ｂ、４ｃには、狭くなった空間を圧迫することがないよう、例えば、ＤＶＤドライブが附属しておらず、拡張スロットの少ないビギナー向けのパソコンを設置するとともに、共用室５には、広くなった空間を活かして、ＤＶＤドライブやＣＤ―Ｒドライブが附属したハイエンドのパソコンを配置することが可能となる。
【００８６】
ここで、プリンター、スキャナ、ＭＯドライブ、外付けハードディスク等のパソコン周辺機器をサーバーパソコンに接続した場合においては、パソコン周辺機器を家族で共用することが可能となるとともに、広くなった共用室５をより有意義に利用することが可能となる。
【００８７】
【発明の効果】
以上述べたように、本発明に係る住宅の室内配置構造によれば、従来は個室に設けられていた収納スペースに収納していた専用物が、共用室に設けられた専用物収納スペースに収納されることとなり、各個室には大きな収納スペースを設ける必要がなくなる。そのため、個室の居室面積が小さくなるとともに、その分、共用室の面積が拡大する。
【００８８】
したがって、各個室における一定の居住性を維持しつつ、家族が集まることができる共用のスペースとして十分な居室面積を確保した共用室を配置することが可能となり、該共用室にテーブルを設置して共同作業をしたり家族会議を開いたりすることによって、家族のコミュニケーションを高めることができる。
【００８９】
【図面の簡単な説明】
【図１】本実施形態に係る住宅の室内配置構造を示した平面図。
【図２】本実施形態に係る住宅の室内配置構造の作用を示した平面図。
【図３】本実施形態の変形例に係る住宅の室内配置構造を示した平面図。
【符号の説明】
１、２１                      住宅の室内配置構造
２                            就寝スペース
３                            個人作業用スペース
４ａ、４ｂ、４ｃ、４ｄ、４ｅ  個室
５、２２                      共用室
６ａ、６ｂ、６ｃ、２６        衣類収納スペース（専用物収納スペース）
６ｄ                          専用物収納スペース
１０                          可動壁
１１                          着脱自在壁
２３                          更衣室
２７                          畳スペース
２８ａ、２８ｂ、２８ｃ        個室
【図１】
0004716464.tif 000002
【図２】
0004716464.tif 000003
【図３】
0004716464.tif 000004